(57)【要約】【課題】後端部の方向へアイロンを移動させるときの使い勝手をよくし、前進と後退の両方向移動で効率よくアイロンかけがおこなえるようにする。【解決手段】前端部６ａおよび後端部６ｂを尖形に形成してヒータ２によって加熱されるベース３と、前記ベースに形成した気化室４と、前記気化室に供給する水を貯めるタンク７と、アイロンかけ対象への水分の供給を制御する給水操作部２８ａ、２８ｂ、３０ａ、３０ｂと、前記ベースの上方に配設した握り部１１とを備え、前記給水操作部を前記握り部の前方と後方に設けたものである。【選択図】図２
2012217530.tif 000002
【特許請求の範囲】
【請求項１】
前端部および後端部を尖形に形成してヒータによって加熱されるベースと、前記ベースに形成した気化室と、前記気化室に供給する水を貯めるタンクと、アイロンかけ対象への水分の供給を制御する給水操作部と、前記ベースの上方に配設した握り部とを備え、前記給水操作部を前記握り部の前方と後方に設けたアイロン。
【請求項２】
タンク内の水を気化室へ供給するポンプ装置を設け、給水操作部は、前記ポンプ装置により一時的に多量の水を前記気化室へ供給する増量スチーム発生用操作釦で構成した請求項１記載のアイロン。
【請求項３】
水を噴霧するスプレーノズルと、前記スプレーノズルにタンク内の水を供給するポンプ装置を設け、給水操作部は、ポンプ装置によりタンク内の水を前記スプレーノズルから噴霧するスプレー用操作釦で構成した請求項１記載のアイロン。
【請求項４】
給水操作部は、ポンプ装置のシリンダと、前記シリンダ内を往復運動するピストンと、前記ピストンを作動する操作釦を有し、前記操作釦は、上昇位置と、下降位置と、前記下降位置から押し下げられた状態で保持する押し下げ位置を設けた請求項１〜３のいずれか１項に記載のアイロン。
【請求項５】
アイロン本体と、前記アイロン本体を載置するスタンドとを具備し、前記アイロン本体は、後部に凹状の受電部を設けるとともに、前記受電部内に受電端子を設け、前記スタンドは、前記ベースを前上がりに傾斜させて載置する載置部を有し、前記受電部に嵌合する凸状の給電部を設けるとともに、前記給電部内に前記受電端子と接続する電極と、前記給電部の下方に前記ベースの後端部を収容する収容部とを設け、前記アイロン本体を前記スタンドに載置したとき、前記受電端子と前記電極の接続部が前記ベースの後端部より前方に位置するように設定した請求項１〜４のいずれか１項に記載のアイロン。
【請求項６】
アイロン本体の側面を受電部の開放端に向かって先細り状に形成した請求項５記載のアイロン。
【発明の詳細な説明】
【技術分野】
【０００１】
本発明は、衣類等のしわ伸ばしをおこなうアイロンに関するものである。
【背景技術】
【０００２】
従来、一般的なアイロンは、かけ面の先端部分を尖った形状にしてあり、衣類の上を滑らせることで、アイロンの進行方向へ衣類を押し広げながらアイロンかけをおこない、衣類のしわを伸ばすとともに、衣類のボタン周りの細かい作業が容易におこなえるようになっている。アイロンかけ作業は、アイロン台上の限られた広さの中でおこなわれるので、衣類の形を整えながら衣類に押圧力を加えてアイロンを往復移動させ、前進と後退の動作が繰り返される。アイロンのかけ面は、一般的に後部が尖っていないため、後退時は、アイロンに押圧力を加えず、衣類上でかけ面の後部を浮かせるようにして移動させることによって、アイロンでしわを付ける誤操作を防止することができる。
【０００３】
しかしながら、アイロンかけは、アイロンの前進と後退の往復動作で効率よく衣類のしわを伸ばすことができるので、後退時にかけ面の後部を浮かせるとしわ伸ばしの効率が低下することから、後退時にアイロンで衣類にしわを付けてしまう、所謂、戻りじわを付ける失敗は多く、アイロンで付けたしわはとり難いものである。
【０００４】
そこで、図８に示すように、かけ面１０１の後端部１０２を尖った形状にすることが考えられている。このアイロンは、アイロンかけ作業中の小休止時にスタンドに載置して加熱し、使用時はスタンドから取り外してその余熱を利用し、電源コードが接続されていない状態でアイロンかけができるコードレスアイロンであり、コードが邪魔にならずに使い勝手がよく、後退時の戻りじわを防止することが考えられている（例えば、特許文献１参照）。
【０００５】
上記特許文献１に記載されたアイロンは、尖った後端部１０２の上方が把手体１０３で覆われており、衣類上でアイロンを後退させるときに、尖った後端部１０２の近傍の衣類が見えないという問題があることから、図９に示すように、尖った後端部１０２を視認可能にする空間部１０４を設け、前進と後退の両方向移動で効率よくアイロンかけがおこなえるとともに、かけ面１０１の後端部１０２の方向へアイロンを後退させるときの使い勝手をよくすることが考えられている（例えば、特許文献２参照）。
【先行技術文献】
【特許文献】
【０００６】
【特許文献１】特開２００９−２８３８５号公報
【特許文献２】特開２０１０−２２０８０９号公報
【発明の概要】
【発明が解決しようとする課題】
【０００７】
しかしながら、前記従来の構成では、把手体の握り部１０５を把持した手で視線が遮られることから、アイロンを後退させるたびに、後端部１０２が視認可能な空間部１０４を覗くような姿勢になる。そこで、このような姿勢の負担を軽減するために、後端部１０２が前向きとなるように握り部１０５を他方の手に持ち替えて把持することにより、後端部１０２の方向へアイロンを前進させることができ、後退時の視認性と空間部１０４を覗くような姿勢の変化を解消することができる。
【０００８】
一方、アイロンかけ作業中は、しわを伸ばす衣類のしわの状況に応じてスチームの供給
と停止の操作がおこなわれ、握り部１０５を把持した状態でアイロンを移動させながら操作できるように握り部１０５の前方に操作部１０６が設けられている。後端部１０２が前向きとなるように握り部１０５を他方の手に持ち替えて把持すると、アイロンの向きを反対方向へ回転させる必要がなくなる反面、操作部１０６が握り部１０５の後方に位置するようになるため、スチームの操作がおこなえなくなる。
【０００９】
そのために、スチームの操作が必要になる度に操作部１０６が握り部１０５の前方に位置するように、握り部１０５を持ち替える必要が生じ、スチーム操作時の使い勝手が悪くなるという問題があった。
【００１０】
上記操作部１０６は、衣類のしわ伸ばし効果を高めるためのものであり、通常のスチームの供給に加え、一時的に多量のスチームを供給する増量スチーム供給装置や、水を噴霧するスプレー装置を設けられている。これらの増量スチーム供給装置およびスプレー装置は、手動のポンプ装置を利用した構成が一般的であり、握り部１０５の前方に近接配置した操作部１０６を上下動させて使用するものである。
【００１１】
したがって、アイロンの向きを変えることなく前進と後退の両方向へ移動させるべく、ベースの後端部１０２が前向きとなるように握り部１０５を他方の手に持ち替えて把持すると、増量スチーム供給装置や、水を噴霧するスプレー装置等の操作部１０６の操作がおこなえなくなるため、アイロンの向きを変えずに握り部１０５を他方の手に持ち替えて把持したときに、操作部１０６を操作可能にすることと、アイロンを両方向へ移動させることにより使い勝手をよくすることを同時に解決することが課題であった。
【００１２】
本発明は、前記従来の課題を解決するもので、アイロンの向きを変えずに握り部を持ち替えたときの給水操作を可能として、しわ伸ばし効果を高めることができるとともに、前進と後退の両方向移動の使い勝手をよくして、効率よくアイロンかけがおこなえるアイロンを実現することを目的とする。
【課題を解決するための手段】
【００１３】
前記従来の課題を解決するために、本発明のアイロンは、前端部および後端部を尖形に形成してヒータによって加熱されるベースと、前記ベースに形成した気化室と、前記気化室に供給する水を貯めるタンクと、アイロンかけ対象への水分の供給を制御する給水操作部と、前記ベースの上方に配設した握り部とを備え、前記給水操作部を前記握り部の前方と後方に設けたものである。
【００１４】
これによって、後端部を前向きにして握り部を把持した場合でも、給水操作が可能であり、給水の操作の度に操作部が握り部の前方に位置するように握り部を持ち替える必要がなく、しわ伸ばし効果を高めることができるとともに、後端部の方向へアイロンを前進させるときの視認性をよくしてアイロンでしわを付ける誤操作を防止することができ、前進と後退の両方向移動で効率よくアイロンかけをおこなうことができる。
【発明の効果】
【００１５】
本発明のアイロンは、後端部を前向きにして握り部を把持したときの給水操作が可能になり、しわ伸ばし効果を高めることができるとともに、前進と後退の両方向移動で効率よくアイロンかけをおこなうことができる。
【図面の簡単な説明】
【００１６】
【図１】本発明の実施の形態１におけるアイロンの側面図
【図２】同アイロンの要部断面図
【図３】同アイロンの要部上面図
【図４】同アイロンの図３のＡ−Ａ断面図
【図５】同アイロンの後面図
【図６】同アイロンの要部断面図
【図７】同アイロンの要部上面図
【図８】従来のアイロンのかけ面の下面図
【図９】従来のアイロンの他の例の後部斜視図
【発明を実施するための形態】
【００１７】
第１の発明は、前端部および後端部を尖形に形成してヒータによって加熱されるベースと、前記ベースに形成した気化室と、前記気化室に供給する水を貯めるタンクと、アイロンかけ対象への水分の供給を制御する給水操作部と、前記ベースの上方に配設した握り部とを備え、前記給水操作部を前記握り部の前方と後方に設けたことにより、後端部を前向きにして握り部を把持した場合でも、給水操作が可能であり、給水の操作の度に操作部が握り部の前方に位置するように握り部を持ち替える必要がなく、しわ伸ばし効果を高めることができるとともに、後端部の方向へアイロンを前進させるときの視認性をよくしてアイロンでしわを付ける誤操作を防止することができ、前進と後退の両方向移動で効率よくアイロンかけをおこなうことができる。
【００１８】
第２の発明は、特に、第１の発明において、タンク内の水を気化室へ供給するポンプ装置を設け、給水操作部は、前記ポンプ装置により一時的に多量の水を前記気化室へ供給する増量スチーム発生用操作釦で構成したことにより、後端部を前向きにして握り部を把持した場合でも、衣類のしわの状況に応じて握り部を持ち替えることなく、増量スチームを随時使用することができるようになり、しわ伸ばし効果を高めることができる。
【００１９】
第３の発明は、特に、第１の発明において、水を噴霧するスプレーノズルと、前記スプレーノズルにタンク内の水を供給するポンプ装置を設け、給水操作部は、ポンプ装置によりタンク内の水を前記スプレーノズルから噴霧するスプレー用操作釦で構成したことにより、後端部を前向きにして握り部を把持した場合でも、握り部を持ち替えることなく、綿等の衣類に対してスプレーを随時噴霧することができるようになり、しわ伸ばし効果を高めることができる。
【００２０】
第４の発明は、特に、第１〜第３のいずれか１の発明の給水操作部は、ポンプ装置のシリンダと、前記シリンダ内を往復運動するピストンと、前記ピストンを作動する操作釦を有し、前記操作釦は、上昇位置と、下降位置と、前記下降位置から押し下げられた状態で保持する押し下げ位置を設けたことにより、アイロンかけ中に操作釦が不用意に押し下げられることがなく、アイロンかけの終わった部分への水分供給を防止することができる。
【００２１】
第５の発明は、特に、第１〜第４のいずれか１の発明において、アイロン本体と、前記アイロン本体を載置するスタンドとを具備し、前記アイロン本体は、後部に凹状の受電部を設けるとともに、前記受電部内に受電端子を設け、前記スタンドは、前記ベースを前上がりに傾斜させて載置する載置部を有し、前記受電部に嵌合する凸状の給電部を設けるとともに、前記給電部内に前記受電端子と接続する電極と、前記給電部の下方に前記ベースの後端部を収容する収容部とを設け、前記アイロン本体を前記スタンドに載置したとき、前記受電端子と前記電極の接続部が前記ベースの後端部より前方に位置するように設定したことにより、後端部の方向へアイロンを移動させるときに戻りじわを付ける誤操作を防止することができるとともに、かけ面の面積が減少することなく後端部を尖形に形成することができるので、かけ面の熱容量を確保してアイロンかけ時の温度低下を少なくすることができ、使い勝手のよいコードレスアイロンを実現することができる。また、ベースの後端部が受電端子の後端部から後方へ突出するので、アイロンかけの後退時に後端部の視認性を確保し、前進と後退の両方向移動で効率よくアイロンかけがおこなえる。
【００２２】
第６の発明は、特に、第５の発明のアイロン本体の側面を受電部の開放端に向かって先細り状に形成したことにより、アイロンかけ時に後端部の視認性を確保することができ、後端部の方向へアイロンを移動させるときに戻りじわを付ける誤操作を防止することができ、使い勝手をよくすることができる。
【００２３】
以下、本発明の実施の形態について、図面を参照しながら説明する。なお、本実施の形態によって本発明が限定されるものではない。
【００２４】
（実施の形態１）
図１は、本発明の第１の実施の形態におけるアイロンの側面図、図２は、同アイロンの要部断面図、図３は、同アイロンの要部上面図、図４は、同アイロンの図３のＡ−Ａ断面図、図５は、同アイロンの後面図、図６は、同アイロンの要部断面図、図７は、同アイロンの要部上面図である。本実施の形態のアイロンは、アイロン本体をスタンドに載置して加熱し、使用時は、スタンドからアイロン本体を取り外し、加熱されたアイロンの余熱でアイロンかけをおこなう、所謂コードレスアイロンである。
【００２５】
図１〜図７において、アイロン本体１は、埋設したヒータ２によって加熱されるベース３と、このベース３の上面側に凹状に形成したスチームを発生させる気化室４と、ベース３の下面に気化室４で発生したスチームを噴出させるスチーム孔５を有し、ベース３の前端部６ａと後端部６ｂを尖形に形成したかけ面６を備えている。スチーム孔５は、前端部６ａと後端部６ｂの近傍を含めて、かけ面６の広い範囲に多数形成している。
【００２６】
７は気化室４に供給する水を貯える樹脂製のタンク、８は手動操作によってタンク７から気化室４への水の供給と停止をおこなうスチーム釦、９はベース３の上面側を覆うように設けた断熱カバー、１０は断熱カバー９の上方に配設した樹脂製の把手体で、握り部１１を形成している。
【００２７】
１２はアイロン本体１の後部に設けたターミナル部１３を後方から覆うように把手体１０に取り付けた把手裏板で、アイロン本体１の後面から内方へ凹状に窪ませて受電部１４を形成している。受電部１４内には、ヒータ２回路と接続している受電端子１５がターミナル部１３から受電部１４内に後方へ突出している。
【００２８】
アイロン本体１を載置するスタンド１６は、ベース３を前上がりに傾斜させて載置する載置部１７を有し、載置部１７にはベース３のかけ面６を下方から支持するローラーで構成した支持体１７ａを設けている。支持体１７ａに支持されたかけ面６の傾斜角度は、置き易く取り外しが容易な２０〜３０°に設定してあり、ローラーによって後方へ移動するようになっている。支持体１７ａは、ベース３の前後方向に２か所設けてあり、かけ面６の前部と後部を離れた位置で安定的に支持する。
【００２９】
スタンド１６の後部には、載置部１７に載置されたアイロン本体１の受電部１４が嵌合する凸状の給電部１８を設けている。この給電部１８の前面にはアイロン本体１の載置時に受電端子１５が貫通する孔１９が左右方向に設けてあり、給電部１８内に設けた電極２０に受電端子１５が接続されるように構成している。
【００３０】
給電部１８内には、アイロン本体１がスタンド１６から取り外されているときに、孔１９を閉じる方向へバネ付勢された開閉シャッター２１が可動自在に設けられている。アイロン本体１の載置時は、受電部１４に設けた支持部２２により開閉シャッター２１の操作部２１ａを後方へ押圧し、受電端子１５側へのバネ付勢力に抗して開閉シャッター２１を回動させて孔１９を開き、受電端子１５が孔１９を通して電極２０と接続されるように構
成している。
【００３１】
支持部２２は、把手裏板１２と一体成型で薄板状に形成するとともに、受電部１４内の上部に垂直方向に設けてあり、受電端子１５の上方に配設し後方へ突出させている。給電部１８の上面には、支持部２２が嵌入可能な溝状のスリット２３がアイロン本体１の変位方向、すなわち、前後方向に形成してあり、スリット２３に支持部２２が所定の長さで嵌合することでアイロン本体１の変位方向が規制される。
【００３２】
支持部２２が嵌入するスリット２３の入り口、すなわち、給電部１８の前面にスリット２３に向かって傾斜する誘導部１８ａを設けている。誘導部１８ａは、略Ｖ字状に形成され、スリット２３の前端部分から前方に向かって左右方向へ開くように傾斜しており、スタンド１６への載置時に支持部２２の先端が誘導部１８ａの傾斜面に当接したとき、スリット２３の前端部分である入り口に向かって傾斜面を滑動し、スリット２３内へと誘導される。
【００３３】
給電部１８の前面の下部、すなわち、誘導部１８ａの下方には、アイロン本体１の受電部１４に向かって円弧状に突出する膨出部１８ｂを形成してあり、スタンド１６への載置時に受電部１４の開放端１４ａが膨出部１８ｂに当接したとき、円弧面に沿って開放端１４ａが左右方向へ滑動し、受電部１４が給電部１８に嵌合するようにアイロン本体１の後部を変位させる。
【００３４】
したがって、アイロン本体１をスタンド１６へ載置するときは、給電部１８の前面の上部に設けた誘導部１８ａと、給電部１８の前面の下部に設けた膨出部１８ｂとで、アイロン本体１の受電部１４を的確に給電部１８嵌合させて、受電端子１５と電極２０を確実に接続させることができる。
【００３５】
給電部１８の下方には、アイロン本体１の載置時にベース３の後端部６ｂを収容する収容部２４が設けてあり、アイロン本体１をスタンド１６に載置したとき、受電端子１５と電極２０の接続部がベース３の後端部６ｂより前方に位置するように設定している。つまり、ベース３の後端部６ｂより前方に受電端子１５の先端が位置するようにしている。
【００３６】
収容部２４は、載置部１７の上面を後方に向かって先細り状に形成してあり、尖った形状の後端部６ｂが給電部１８の下方にコンパクトに収容されるようにしている。そして、アイロン本体１は、タンク７が形成される側面１０ａを受電部１４の開放端１４ａに向かって先細り状に形成している。
【００３７】
受電端子１５の下方には、ベース３の後端部６ｂの上面側を覆うようにカバー部２５が設けてあり、受電部１４を形成している把手裏板１２を下方へ延設してカバー部２５を形成している。そして、カバー部２５は、その外周縁をベース３の外周縁に沿って後端部６ｂまで形成し、後端部６ｂの上方を後端部６ｂと略同形状で覆っている。
【００３８】
スタンド１６の後部には、給電部１８の両側に放熱空間２６が設けてあり、収容部２４を介して給電部１８の両側と連通するように形成し、外部の空気と円滑に置換されるようにしてあり、アイロン本体１をスタンド１６に載置したとき、収容部２４に位置し高温に加熱されるベース３の後端部６ｂの熱を収容部２４から外部へ放出し、給電部１８が過熱されるのを防止するようにしている。
【００３９】
アイロン本体１をスタンド１６に載置する載置部１７の両側に、アイロン本体１の受電部１４を給電部１８へ案内するガイド部２７が設けてあり、このガイド部２７の後端２７ａと給電部１８との間に放熱空間２６が形成され、放熱に十分な空間を確保している。載
置部１７の両側に設けたガイド部２７の間隔は、スタンド１６の後部に設けられている給電部１８に近づくにしたがって狭くなっており、アイロン本体１の後部に設けた受電部１４が給電部１８へスムースに嵌合するようにしている。
【００４０】
給電部１８は、収容部２４の上面を構成する下面１８ｃを前上がりに傾斜させてあり、アイロン本体１がスタンド１６から容易に取り外すことができるようにしている。また、下面１８ｃの後部は、後端部６ｂが収容部２４に収容されるように後端部６ｂの後方へ延設している。カバー部２５の上面側には、収容部２４の下面１８ｃ側へ円弧状に膨出させたリブ２５ａを設けており、アイロン本体１をスタンド１６へ載置するときと、スタンド１６から取り外すときに、アイロン本体１の変位方向、すなわち、前後方向に設けたリブ２５ａの頂部が給電部１８の下面１８ｃに当接して、スムースに着脱できるようにしている。
【００４１】
握り部１１の前方と後方には、しわ伸ばしをおこなう衣類等のアイロンかけ対象への水分の供給を制御する給水操作部としての増量スチーム発生用操作釦２８ａ、２８ｂを設けている。
【００４２】
この増量スチーム発生用操作釦２８ａ、２８ｂは、タンク７内の水を気化室４へ供給するポンプ装置２９を手動による上下動操作により、一時的に多量の水を気化室４へ供給して増量スチームを発生させることができるものであり、衣類のしわが多い時に使用することにより効果的にしわを伸ばすことができるものである。
【００４３】
また、増量スチーム発生用操作釦２８ａ、２８ｂに並設して、握り部１１の前方と後方には、しわ伸ばしをおこなう衣類等のアイロンかけ対象への水分の供給を制御する給水操作部としてのスプレー用操作釦３０ａ、３０ｂを設けている。
【００４４】
このスプレー用操作釦３０ａ、３０ｂは、タンク７内の水をアイロン本体１の前部と後部に設けたスプレーノズル３１ａ、３１ｂへ供給するポンプ装置３２を手動による上下動操作により、噴霧することができるものであり、綿等の繊維製品に使用することにより効果的にしわを伸ばすことができるものである。
【００４５】
増量スチーム発生用のポンプ装置２９と、噴霧用のポンプ装置３２は、いずれもシリンダ内を往復運動するピストンを備えた一般的なもので、タンク７内に形成されており、ポンプ装置２９、３２のピストン２９ａ、３２ａを作動する操作釦としての、増量スチーム発生用操作釦２８ａ、２８ｂとスプレー用操作釦３０ａ、３０ｂが、各々のポンプ装置２９、３２に対して上下動自在に構成されている。
【００４６】
増量スチーム発生用操作釦２８ａ、２８ｂを押圧操作すると、タンク７内の水を吸い込み部３３からポンプ装置２９のシリンダ２９ｂ内に吸引し、吐出部３４から気化室４へ吐出して増量スチームを発生させることにより、アイロンかけをおこなう衣類等に一時的に多量のスチームを供給することができ、衣類のしわの状態に応じてアイロンをかけながら必要に応じて使用することができる。
【００４７】
スプレー用操作釦３０ａ、３０ｂを押圧操作すると、タンク７内の水を吸い込み部３５からポンプ装置３２のシリンダ３２ｂ内に吸引し、スプレーノズル３１ａ、３１ｂからアイロン本体１の前方または後方に向けて噴霧することができ、綿等の衣類のしわを効果的に伸ばすことができるものである。
【００４８】
以上のように構成された本発明のアイロンについて、以下、その動作、作用を説明する。アイロンかけをおこなうときは、スタンド１６の載置部１７に設けられている支持体１
７ａ上にアイロン本体１のかけ面６を載置し、受電端子１５が電極２０に接続された状態で、電源コード３６を通じて電極２０に通電する。
【００４９】
握り部１１の上部に設けた温度設定部３７より、かけ面６が所定の温度（例えば、２００℃）に加熱されるように設定する。気化室４が水の蒸発可能温度に上昇すると、バイメタル３７が反転して熱応動弁３８が開き、スチーム釦８の手動操作によってタンク７内の水を気化室４へ滴下供給することができる。
【００５０】
給電部１８の下方にベース３の後端部６ｂを収容する収容部２４が設けてあり、アイロン本体１をスタンド１６に載置したとき、受電端子１５と電極２０の接続部がベース３の後端部６ｂより前方に位置するように設定しているので、かけ面６の面積を大きく減少させることなく後端部６ｂを尖形に形成してかけ面６の熱容量を確保することができる。したがって、余熱を利用したコードレスアイロンにおいても後端部６ｂを尖形に形成することが可能になり、スチームを利用したアイロンかけ時の温度低下を少なくすることができ、使い勝手のよいコードレスアイロンを実現することができる。
【００５１】
握り部１１を把持してアイロン本体１をスタンド１６から取り外し、衣類等の上を前後方向へ押圧しながら移動させると、前進時は尖った前端部６ａによって衣類を押し広げながらしわ伸ばしがおこなえ、また、図３に示すように後端部６ｂを前端部６ａと略同じ尖り角度に尖った形状に形成しているので、後退時も前進時と同様に衣類を押し広げながらしわを伸ばすことができるので、戻りじわの発生を防止することができ、後端部６ｂの方向へアイロンを移動させるときの使い勝手をよくすることができる。
【００５２】
また、ベース３の後端部６ｂが電極２０と接続する受電端子１５の後端部から後方へ突出するので、アイロンかけの後退時に後端部６ｂの視認性を確保し、前進と後退の両方向移動で効率よくアイロンかけがおこなえる。
【００５３】
また、前端部６ａを前向きにして把持した前進動作の状態で、アイロン本体１を後退させることができるとともに、アイロン本体１の向きを変えることなく他方の手に持ち替えると、後端部６ｂを前にして前進させることができる。
【００５４】
このとき、給水操作部としての増量スチーム発生用操作釦２８ａ、２８ｂと、スプレー用操作釦３０ａ、３０ｂを握り部１１の前方と後方に設けているので、前端部６ａを前向きにして把持したときと、後端部６ｂを前にして把持したときのいずれの状態でも、給水操作部を操作することができ、握り部１１を持ち替える煩わしさをなくして使い勝手をよくすることができる。
【００５５】
増量スチーム発生用操作釦２８ａ、２８ｂと、スプレー用操作釦３０ａ、３０ｂは、前端部６ａを前向きにして把持したときと、後端部６ｂを前にして把持したときに、各々の相対位置が同じになるように対角位置に配設され、いずれの方向に向けても同じ位置にあり、使用時の誤操作を防止することができるようにしている。
【００５６】
また、アイロン本体１の側面１０ａを受電部１４の開放端１４ａに向かって先細り状に形成しているので、アイロンかけ時の後退時はもとより、後端部６ｂを前にした前進時も、ベース３の後端部６ｂの視認性を良好に確保することができ、後端部６ｂの方向へアイロン本体１を移動させるときの使い勝手をよくすることができる。
【００５７】
したがって、受電部１４の開放端１４ａは後端部６ｂの近傍に位置することから、必然的に小さくなり、開放端１４ａが外側から嵌合する給電部１８も左右方向に小さく構成する必要がある。
【００５８】
本発明では、受電部１４を給電部１８へ導く誘導部１８ａと膨出部１８ｂを給電部１８の前面に設けるとともに、支持部２２が嵌入するスリット２３を給電部１８の上面の中央部に設け、さらに、支持部２２と、給電部１８の下面１８ｃに当接するカバー部２５に設けたリブ２５ａを、受電部１４の左右方向の略中央位置に設けて給電部１８の左右方向の大きさを小型化し、アイロン本体１の側面１０ａが後端部６ｂの方向へ先細りした形状を実現している。
【００５９】
なお、ポンプ装置２９、３２のシリンダ２９ｂ、３２ｂ内を往復運動するピストン２９ａ、２９ｂを作動する増量スチーム発生用操作釦２８ａ、２８ｂと、スプレー用操作釦３０ａ、３０ｂは、上昇位置と、下降位置と、この下降位置からさらに押し下げられた状態で保持する押し下げ位置を設けることにより、アイロンかけ中に握り部１１を把持した手の後方に位置するそれぞれの操作釦２８ａ、２８ｂ、３０ａ、３０ｂが不用意に押し下げられることがなく、アイロンかけの終わった部分への不要に水分供給を防止することができる。
【００６０】
なお、本実施の形態のポンプ装置２９、３２は、タンク７内に設けたが、握り部１１を形成する把手体１０に構成することができる。そして、給水操作部として、増量スチーム発生用操作釦２８ａ、２８ｂと、スプレー用操作釦３０ａ、３０ｂの両方を設けたが、微粒化した水に蒸気または空気を混合したミストを噴射させるミスト操作釦であってもよく、これらの少なくともいずれか１つが設けられていればよい。
【００６１】
また、本実施の形態は、アイロン本体１をスタンド１６に載置して加熱し、使用時は、スタンド１６からアイロン本体１を取り外してアイロンかけをおこなうコードレスアイロンについて記載したが、アイロン本体に電源コードが接続されたコード付きアイロンであっても同様の作用効果が得られることは言うまでもない。
【産業上の利用可能性】
【００６２】
以上のように、本発明にかかるアイロンは、後端部を前向きにして握り部を把持したときの給水操作が可能になり、しわ伸ばし効果を高めることができるとともに、前進と後退の両方向移動で効率よくアイロンかけをおこなうことができるので、アイロンとして有用である。
【符号の説明】
【００６３】
１  アイロン本体
２  ヒータ
３  ベース
４  気化室
６ａ  前端部
６ｂ  後端部
７  タンク
１０  把手体
１１  握り部
２８ａ  増量スチーム発生用操作釦（給水操作部）
２８ｂ  増量スチーム発生用操作釦（給水操作部）
３０ａ  スプレー用操作釦（給水操作部）
３０ｂ  スプレー用操作釦（給水操作部）
【図１】
2012217530.tif 000003
【図２】
2012217530.tif 000004
【図３】
2012217530.tif 000005
【図４】
2012217530.tif 000006
【図５】
2012217530.tif 000007
【図６】
2012217530.tif 000008
【図７】
2012217530.tif 000009
【図８】
2012217530.tif 000010
【図９】
2012217530.tif 000011